(57)【要約】  【課題】  撮像データを記録した記録媒体を手軽に作成できるようにする。  【解決手段】  デジタルビデオカメラ１１は、筐体１２の側面１２ａにカメラ側コネクタ１６を凹設し、撮像データをハードディスク装置に記録する。また、デジタルビデオカメラ１１は、撮像中にポーズボタンが押されてから撮像が再開された場合、再開した撮像動画に係る撮像データの書き込み箇所をハードディスク装置に記録することで、撮像開始及び撮像再開に係る各画像をサムネイルで表示し、各画像を選択可能にする。記録装置２０は側面に設けたコネクタ２１で、デジタルビデオカメラ１１と直接的な接続を可能にして選択された画像の撮像データを取り込んで光ディスクｄに記録する。【選択図】      図１
2005277958.tif 000002
【特許請求の範囲】
【請求項１】
撮像データを第１記録媒体に記録する撮像装置、及び媒体受入部に受け入れた第２記録媒体にデータを記録する記録装置を備え、前記撮像装置に設けてある第１接続部と該記録装置に設けてある第２接続部とを直接的に接続してなる撮像記録システムであって、
前記撮像装置は、
第１記録媒体に記録してある撮像データを読み出して前記第１接続部から送出するデータ送出手段を備え、
前記記録装置は、
前記第２接続部で受け付けた撮像データを第２記録媒体に記録する処理を行うデータ記録処理手段を備えることを特徴とする撮像記録システム。
【請求項２】
前記撮像装置は、第１記録媒体に記録してある撮像データの選択を受け付ける選択受付手段を更に備え、
前記データ送出手段は、前記選択受付手段が選択を受け付けた撮像データを送出するようにしてある請求項１に記載の撮像記録システム。
【請求項３】
前記撮像装置は、
動画を撮像する動画撮像手段と、
動画撮像中に撮像を休止する指示を受け付けて撮像を休止する撮像休止手段と、
撮像休止中に撮像再開の指示を受け付けて撮像再開を行う撮像再開手段と、
撮像再開時に撮像された動画を形成する画像フレームに応じた撮像データの記録箇所を前記第１記録媒体に記録する箇所記録手段と
を更に備え、
前記選択受付手段は、前記箇所記録手段が記録箇所を記録した撮像データの選択を受け付けるようにしてある請求項２に記載の撮像記録システム。
【請求項４】
前記撮像装置は、
表示部と、
撮像開始時に撮像された動画を形成する画像フレームに応じた撮像データの画像及び前記箇所記録手段が記録箇所を記録した撮像データの画像をサムネイルで前記表示部に表示するサムネイル表示手段と
を更に備え、
前記選択受付手段は、サムネイルで表示した画像に基づき撮像データの選択を受け付けるようにしてある請求項３に記載の撮像記録システム。
【請求項５】
前記選択受付手段が複数の撮像データの選択を受け付けた場合、前記データ送出手段は前記選択受付手段が選択を受け付けた順序で撮像データを送出するようにしてあり、
前記データ記録処理手段は、受け付けた順序で前記第２記録媒体に撮像データを記録するようにしてある請求項２乃至請求項４のいずれか一つに記載の撮像記録システム。
【請求項６】
動画撮像手段が撮像した動画を表示する表示部及び動画の撮像データを第１記録媒体に記録する処理を行う記録処理手段を有する撮像装置、及び媒体受入部に受け入れた第２記録媒体にデータを記録する記録装置を備え、前記撮像装置に設けてある第１接続部と該記録装置に設けてある第２接続部とを直接的に接続してなる撮像記録システムであって、
前記撮像装置は、
前記第１記録媒体に記録してある撮像データに係る画像を縮小して前記表示部の一領域に配列表示すると共に配列表示された画像のいずれかに対応する動画を前記表示部の他領域で再生表示する処理を行う複合表示処理手段と、
該複合表示処理手段が配列表示した画像に係る撮像データを前記第１記録媒体から読み出して前記第１接続部より送出するデータ送出手段と
を備え、
前記記録装置は、
前記第２接続部で受け付けた撮像データを第２記録媒体に記録する処理を行うデータ記録処理手段を備えることを特徴とする撮像記録システム。
【請求項７】
動画を撮像する動画撮像手段と、
該動画撮像手段が撮像した動画の撮像データを記録媒体に記録する処理を行う記録処理手段と、
外部の装置を直接的に接続することが可能な接続部と、
動画撮像中に撮像を休止する指示を受け付けて撮像を休止する撮像休止手段と、
撮像休止中に撮像再開の指示を受け付けて撮像再開を行う撮像再開手段と、
撮像再開時に撮像された動画を形成する画像フレームに応じた撮像データの記録箇所を前記記録媒体に記録する箇所記録手段と、
該箇所記録手段が記録箇所を記録した撮像データの選択を受け付ける選択受付手段と、
該選択受付手段が受け付けた撮像データを前記記録媒体から読み出して前記接続部より送出するデータ送出手段と
を備えることを特徴とする撮像装置。
【請求項８】
表示部と、
撮像開始時に撮像された動画を形成する画像フレームに応じた撮像データの画像及び前記箇所記録手段が記録箇所を記録した撮像データの画像をサムネイルで前記表示部に表示するサムネイル表示手段と
を更に備え、
前記選択受付手段は、サムネイルで表示した画像に基づき撮像データの選択を受け付けるようにしてある請求項７に記載の撮像装置。
【請求項９】
動画を撮像する動画撮像手段と、
該動画撮像手段が撮像した動画の撮像データを記録媒体に記録する処理を行う記録処理手段と、
表示部と、
該表示部の一領域に前記記録媒体に記録された撮像データに係る画像を縮小して配列表示すると共に配列表示された画像のいずれか一つに応じた動画を前記表示部の他領域で再生表示する処理を行う複合表示処理手段と
を備えることを特徴とする撮像装置。
【請求項１０】
外部の装置を直接的に接続することが可能な接続部と、
前記複合表示処理手段が前記表示部の一領域に配列表示した画像に係る撮像データを前記記録媒体から読み出して前記接続部より送出するデータ送出手段と
を更に備える請求項９に記載の撮像装置。
【請求項１１】
撮像装置に直接的に接続することが可能な接続部と、
記録ディスクを受け入れるディスク受入部と、
該ディスク受入部に受け入れた記録ディスクに前記接続部で受け付けたデータを記録する処理を行うデータ記録処理手段と
を備えることを特徴とする記録装置。
【発明の詳細な説明】
【技術分野】
【０００１】
本発明は、撮像装置が記録する複数の撮像データの中からユーザが所望するデータを、撮像装置に直接的に接続できる携帯型の記録装置を用いて汎用の記録媒体へ書き込み、所望のデータを記録した記録媒体を手軽に作成できるようにした撮像記録システム、撮像装置、及び記録装置に関する。
【背景技術】
【０００２】
従来、撮像した動画をデジタルのデータとして記録する撮像装置としてデジタルビデオカメラ及び動画撮像にも対応したデジタルカメラ等がある。この種の撮像装置は着脱型又は装置内蔵型の記録媒体にデータを記録するようにしており、着脱型の記録媒体にはデジタルビデオテープ、半導体メモリ、光ディスク、及び着脱タイプのハードディスク装置等がある。また、装置内蔵型の記録媒体としては装置内部に固定するタイプのハードディスク装置等が使用されている。
【０００３】
上述した撮像装置は、撮像開始（記録開始）から撮像終了（記録終了）に至る動画のデータを一つのファイルとして記録媒体に記録することが一般的であり、ランダムアクセスが可能な記録媒体を用いる撮像装置ではファイル毎に動画を形成する画像フレーム中の最初の画像フレームに応じた画像をサムネイルで表示できるようにしたものが多い。このサムネイル表示により、ユーザは記録媒体に記録している撮像データの中身を容易に確認できると共に、記録している動画の中から所望のものを迅速に探し出せる。
【０００４】
また、撮像装置により記録媒体に記録された撮像データを、他の装置でも広く利用できるようにするため、汎用の記録媒体、例えばＣＤ−Ｒ、ＣＤ−ＲＷ、ＤＶＤ−Ｒ、ＤＶＤ−ＲＷ、ＤＶＤ−ＲＡＭ等の光ディスクへデータが複写（コピー）されることが多い。このようなデータのコピーにはパーソナルコンピュータを使用することが一般的である。
【０００５】
図１０は、デジタルビデオカメラ１が有する記録媒体に記録しているデータをパーソナルコンピュータ２を用いてＤＶＤ−ＲＷ用の光ディスクｄにコピーする状態を示した従来の概略斜視図である。デジタルビデオカメラ１及びパーソナルコンピュータ２は接続用に、例えばＩＥＥＥ（Institute of Electrical and Electronics Engineers Inc.）１３９４の仕様に準じた接続コネクタ１ａ、２ａを夫々設けており、各接続コネクタ１ａ、２ａを接続ケーブル３で接続して、パーソナルコンピュータ２がデジタルビデオカメラ１からデータを取り込めるようにする。また、パーソナルコンピュータ２は光ディスクｄを装着するディスク駆動部２ｂを有し、取り込んだデータをディスク駆動部２ｂを用いて光ディスクｄへ記録することで、デジタルビデオカメラ１の撮像データを記録した光ディスクｄを作成する。
【０００６】
なお、デジタルビデオカメラの撮像データを汎用的な記録媒体へ記録すると云う目的とは相異するが、デジタルカメラに、大容量の記録媒体を装着可能とした拡張ユニットを取り付けることで、デジタルカメラの撮像データを、デジタルカメラに装着する記録媒体、又は拡張ユニットに装着する大容量の記録媒体のいずれかに記録できるようにしたカメラシステムが開示されている（特許文献１参照）。
【特許文献１】特開２０００−３５００７３号公報
【発明の開示】
【発明が解決しようとする課題】
【０００７】
図１０に示すように、デジタルビデオカメラ１の記録媒体で記録しているデータを、汎用の記録媒体である光ディスクｄへ複写するには、ディスク駆動部２ｂを有するパーソナルコンピュータ２及び接続ケーブル３が必要になる。しかし、パーソナルコンピュータ２はデジタルビデオカメラ１に比べて重量及び体積とも大きく且つ接続ケーブル３は紛失しやすいため、デジタルビデオカメラ１と共にパーソナルコンピュータ２及び接続ケーブル３をユーザが携帯することは困難である。その結果、撮像を行った出先等で撮像データを記録した汎用の記録媒体を手軽に作成できないと云う問題がある。
【０００８】
また、デジタルビデオカメラ１の記録媒体で記録されている複数のデータの中から所望のものだけを選択して汎用の記録媒体へ書き込むには、パーソナルコンピュータ２にデータ編集用のコンピュータソフトをインストールした上で、このコンピュータソフトに対して所要の操作を行う必要があるため、所望のデータだけをコピーした汎用の記録媒体を作成するには手間を要すると云う問題がある。
【０００９】
なお、撮像装置が着脱型の記録媒体（例えば、ＤＶＤ−ＲＷ等の光ディスク）に撮像データを記録するタイプであれば、撮像データを記録した汎用の記録媒体を一応作成できる。しかし、この場合は撮像した全ての撮像データが記録媒体に書き込まれるため、作成された記録媒体は唯一のオリジナルとなる。そのため、他の装置での利用のためにオリジナルの記録媒体を渡してしまうと、オリジナルの記録媒体が紛失、破損されるおそれが生じることから、オリジナルの記録媒体の撮像データを別の汎用の記録媒体にコピーすることが重要になる。さらに、上述したオリジナルの記録媒体は、撮像された全てのデータが順次記録されていくため、記録内容も整理されていないと云う問題もある。
【００１０】
また、特許文献１に係るデジタルカメラを動画撮像に対応させることも想定できる。しかし、特許文献１に係るデジタルカメラは、撮像データをカメラ本体に装着する記録媒体、又は拡張ユニットに装着する大容量の記録媒体のいずれかに直接的に記録するだけなので、カメラ本体の記録媒体と拡張ユニットの記録媒体との間でデータを送受して読み書きするようなことに対応できない。即ち、撮像データの中から適宜選択したものだけを汎用の記録媒体に記録することは不可能であると云う問題がある。
【００１１】
一方、撮像装置による撮像中に休止（ポーズ）操作を行ってから、休止を解除して撮像再開（記録再開）した場合、撮像再開後に撮像した画像のデータも、休止前の撮像データのファイルに記録される。この結果、休止から撮像を再開した後の画像はサムネイルに表示されないため、容易に探し出すことが困難になると云う問題がある。特に、撮像を休止した場合は、休止前後で撮像対象の状態、又は撮像対象自体が相異していることも多いため、休止前後の撮像内容を区別して扱うことは重要にある。
【００１２】
本発明は、斯かる問題に鑑みてなされたものであり、撮像装置が有する記録媒体で記録しているデータを汎用の記録媒体へコンピュータを用いずに手軽にコピーできるようにした撮像記録システム、撮像装置、及び記録装置を提供することを目的とする。
また、本発明は、撮像した動画を形成する最初の画像フレームの画像に加えて休止から撮像を再開した場合の画像もサムネイルで表示することにより、記録されているデータ内容を容易に判断できると共に、所望の撮像データを選択して汎用の記録媒体へコピーできるようにした撮像記録システム、及び撮像装置を提供することを目的とする。
【課題を解決するための手段】
【００１３】
上記課題を解決するために本発明に係る撮像記録システムは、撮像データを第１記録媒体に記録する撮像装置、及び媒体受入部に受け入れた第２記録媒体にデータを記録する記録装置を備え、前記撮像装置に設けてある第１接続部と該記録装置に設けてある第２接続部とを直接的に接続してなる撮像記録システムであって、前記撮像装置は、第１記録媒体に記録してある撮像データを読み出して前記第１接続部から送出するデータ送出手段を備え、前記記録装置は、前記第２接続部で受け付けた撮像データを第２記録媒体に記録する処理を行うデータ記録処理手段を備えることを特徴とする。
【００１４】
本発明にあっては、撮像装置と記録装置とを直接的に接続する構成にしているため、撮像データを記録媒体へコピーする際に、従来使用していたパーソナルコンピュータ及び接続ケーブルが不要になる。また、撮像装置から撮像データを送出すると共に、送出されてきた撮像データを記録装置で受け付けて第２記録媒体に記録するため、撮像データをコピーした第２記録媒体を容易に作成できるようになる。なお、作成される第２記録媒体を広く利用できるようにする観点から、記録装置の媒体受入部は、その時代において最もスタンダードな形式の記録媒体に対応できる構成にすることが好ましく、現状ではＣＤ−Ｒ、ＣＤ−ＲＷ、ＤＶＤ−Ｒ、ＤＶＤ−ＲＷ、ＤＶＤ−ＲＡＭ等の光ディスク、ブルーレイディスク等に応じた構成にすることが好適である。
【００１５】
また、本発明に係る撮像記録システムは、前記撮像装置は、第１記録媒体に記録してある撮像データの選択を受け付ける選択受付手段を更に備え、前記データ送出手段は、前記選択受付手段が選択を受け付けた撮像データを送出するようにしてあることを特徴とする。
本発明にあっては、第１記録媒体に記録してある撮像データを選択して送出するようにしてあるので、ユーザが所望する撮像データのみを記録した第２記録媒体を作成できるようになる。
【００１６】
さらに、本発明に係る撮像記録システムは、前記撮像装置は、動画を撮像する動画撮像手段と、動画撮像中に撮像を休止する指示を受け付けて撮像を休止する撮像休止手段と、撮像休止中に撮像再開の指示を受け付けて撮像再開を行う撮像再開手段と、撮像再開時に撮像された動画を形成する画像フレームに応じた撮像データの記録箇所を前記第１記録媒体に記録する箇所記録手段とを更に備え、前記選択受付手段は、前記箇所記録手段が記録箇所を記録した撮像データの選択を受け付けるようにしてあることを特徴とする。
【００１７】
本発明にあっては、撮像が休止された後に撮像が再開された場合、撮像再開時に撮像された動画を形成する画像フレームに応じた撮像データの第１記録媒体への書き込み箇所を記録するので、従来、一つのファイルに埋もれていた撮像再開後の撮像データを記録した書き込み箇所に基づき特定できるようになる。また、撮像再開後の撮像データを選択受付手段により選択できるようにすることで、ユーザが望む撮像データのみを詳細に選択して記録した第２記録媒体を作成できるようになる。
【００１８】
さらにまた、本発明に係る撮像記録システムは、前記撮像装置は、表示部と、撮像開始時に撮像された動画を形成する画像フレームに応じた撮像データの画像及び前記箇所記録手段が記録箇所を記録した撮像データの画像をサムネイルで前記表示部に表示するサムネイル表示手段とを更に備え、前記選択受付手段は、サムネイルで表示した画像に基づき撮像データの選択を受け付けるようにしてあることを特徴とする。
【００１９】
本発明にあっては、撮像開始時の画像及び撮像再開時の画像がサムネイルで表示部に表示されるため、ユーザは撮像した各シーンでの撮像内容を、従来のように撮像開始した画像だけでなく、撮像開始及び撮像休止して再開した場合における各画像を全て容易に一目で確認できるようになる。また、確認した画像の内容に応じて送出する撮像データを選択受付手段で選択を受け付けるので、ユーザが表示部で確認した画像の撮像データを第２記録媒体に確実に記録できるようになる。
【００２０】
また、本発明に係る撮像記録システムは、前記選択受付手段が複数の撮像データの選択を受け付けた場合、前記データ送出手段は前記選択受付手段が選択を受け付けた順序で撮像データを送出するようにしてあり、前記データ記録処理手段は、受け付けた順序で前記第２記録媒体に撮像データを記録するようにしてあることを特徴とする。
本発明にあっては、撮像データが選択された順序で第２記録媒体に撮像データが記録されるので、作成された第２記録媒体には、ユーザが望む順序で整理された状態で各撮像データが記録されることになる。その結果、第２記録媒体の各撮像データを再生する場合も、再生順序を変更するような特別な操作を行うことなく通常の再生を行うだけで、ユーザの望む順序で各撮像データを再生できるようになる。
【００２１】
さらに、本発明に係る撮像記録システムは、動画撮像手段が撮像した動画を表示する表示部及び動画の撮像データを第１記録媒体に記録する処理を行う記録処理手段を有する撮像装置、及び媒体受入部に受け入れた第２記録媒体にデータを記録する記録装置を備え、前記撮像装置に設けてある第１接続部と該記録装置に設けてある第２接続部とを直接的に接続してなる撮像記録システムであって、前記撮像装置は、前記第１記録媒体に記録してある撮像データに係る画像を縮小して前記表示部の一領域に配列表示すると共に配列表示された画像のいずれかに対応する動画を前記表示部の他領域で再生表示する処理を行う複合表示処理手段と、該複合表示処理手段が配列表示した画像に係る撮像データを前記第１記録媒体から読み出して前記第１接続部より送出するデータ送出手段とを備え、前記記録装置は、前記第２接続部で受け付けた撮像データを第２記録媒体に記録する処理を行うデータ記録処理手段を備えることを特徴とする。
【００２２】
本発明にあっては、画像を配列表示すると共にいずれか一つの画像に対応する動画の再生表示を同時に行うので、ユーザは第２記録媒体への記録前に記録しようとする撮像データの内容を詳細に確認できるようになる。
【００２３】
本発明に係る撮像装置は、動画を撮像する動画撮像手段と、該動画撮像手段が撮像した動画の撮像データを記録媒体に記録する処理を行う記録処理手段と、外部の装置を直接的に接続することが可能な接続部と、動画撮像中に撮像を休止する指示を受け付けて撮像を休止する撮像休止手段と、撮像休止中に撮像再開の指示を受け付けて撮像再開を行う撮像再開手段と、撮像再開時に撮像された動画を形成する画像フレームに応じた撮像データの記録箇所を前記記録媒体に記録する箇所記録手段と、該箇所記録手段が記録箇所を記録した撮像データの選択を受け付ける選択受付手段と、該選択受付手段が受け付けた撮像データを前記記録媒体から読み出して前記接続部より送出するデータ送出手段とを備えることを特徴とする。
【００２４】
本発明にあっては、撮像休止後に撮像再開された場合、撮像再開時に撮像された動画を形成する画像フレームに応じた撮像データの書き込み箇所を記録するので、撮像再開後の撮像データを書き込み箇所に基づき特定できるようになる。また、撮像再開後の撮像データを選択受付手段により選択して外部に送出できるため、従来、一つのファイルの中身を全て確認できずに撮像データを送出していたような事態を防止できる。
【００２５】
また、本発明に係る撮像装置は、表示部と、撮像開始時に撮像された動画を形成する画像フレームに応じた撮像データの画像及び前記箇所記録手段が記録箇所を記録した撮像データの画像をサムネイルで前記表示部に表示するサムネイル表示手段とを更に備え、前記選択受付手段は、サムネイルで表示した画像に基づき撮像データの選択を受け付けるようにしてあることを特徴とする。
本発明にあっては、撮像開始時の画像及び撮像再開時の画像がサムネイルで表示部に表示されるため、ユーザは撮像した各シーン毎の内容を一目で確認できるようになる。また、ユーザは送出したい撮像データを確認した画像に基づき選択することになり、ユーザの本当に望む撮像データのみを外部へ送出できるようになる。
【００２６】
さらに、本発明に係る撮像装置は、動画を撮像する動画撮像手段と、該動画撮像手段が撮像した動画の撮像データを記録媒体に記録する処理を行う記録処理手段と、表示部と、該表示部の一領域に前記記録媒体に記録された撮像データに係る画像を縮小して配列表示すると共に配列表示された画像のいずれか一つに応じた動画を前記表示部の他領域で再生表示する処理を行う複合表示処理手段とを備えることを特徴とする。
本発明にあっては、記録媒体に記録された撮像データに係る画像を配列表示すると共にいずれか一つの画像に対応する動画の再生表示を同時に行うので、ユーザは記録されている撮像データを画像（静止画）及び動画の両方で記録内容を詳細に確認できるようになる。
【００２７】
また、本発明に係る撮像装置は、外部の装置を直接的に接続することが可能な接続部と、前記複合表示処理手段が前記表示部の一領域に配列表示した画像に係る撮像データを前記記録媒体から読み出して前記接続部より送出するデータ送出手段とを更に備えることを特徴とする。
本発明にあっては、配列表示した画像に係る撮像データを送出するので、ユーザが詳細に撮像データを確認してから撮像データを送出できるようになる。
【００２８】
本発明に係る記録装置は、撮像装置に直接的に接続することが可能な接続部と、記録ディスクを受け入れるディスク受入部と、該ディスク受入部に受け入れた記録ディスクに前記接続部で受け付けたデータを記録する処理を行うデータ記録処理手段とを備えることを特徴とする。
本発明にあっては、ディスク受入部に受け入れた記録ディスクに接続部で受け付けたデータを記憶するので、撮像装置から送出されるデータを記録した記録ディスクを容易に作成できるようになる。
【発明の効果】
【００２９】
本発明にあっては、撮像装置と記録装置とを直接的に接続することにより、撮像装置から送出した撮像データを記録装置が受け入れた第２記録媒体に記録でき、撮像データを記録した第２記録媒体を容易に作成できる。
また、本発明にあっては、第１記録媒体に記録してある撮像データを選択して送出するので、ユーザが所望する撮像データのみを記録した第２記録媒体を作成できる。
【００３０】
さらに、本発明にあっては、撮像が休止された後に撮像が再開された場合、撮像再開時に撮像された動画を形成する画像フレームに応じた撮像データの第１記録媒体への記録箇所を記録することにより、撮像再開後の撮像データを特定できると共に、このように特定した撮像データを記録装置へ送出することで、ユーザは望む部分の撮像データを記録した第２記録媒体を作成できる。
さらにまた、本発明にあっては、撮像開始時の画像及び撮像再開時の画像がサムネイルで表示部に表示されるため、ユーザは撮像開始及び撮像休止して再開した場合における各画像を一目で確認できると共に、確認した画像の撮像データを送出して第２記録媒体に記録できる。
【００３１】
また、本発明にあっては、撮像データが選択された第２記録媒体に撮像データを記録するので、ユーザが望む順序で整理された状態で各撮像データを記録した第２記録媒体を作成できる。
さらに、本発明にあっては、画像を配列表示すると共にいずれか一つの画像に対応する動画の再生表示を同時に行うので、ユーザは第２記録媒体への記録前に記録しようとする撮像データの内容を詳細に確認できる。
【発明を実施するための最良の形態】
【００３２】
図１は、本発明の実施形態に係る撮像記録システム１０の全体的な構成を示す概略斜視図である。撮像記録システム１０は、撮像装置であるデジタルビデオカメラ１１及び記録装置２０を直接的に接続することで構成され、デジタルビデオカメラ１１が記憶している撮像した動画の撮像データを記録装置２０を用いて汎用の光ディスクｄ（本実施形態では直径が８ｃｍのＤＶＤ−ＲＷディスクを使用）へ書き込み、所望データを記憶した光ディスクｄを手軽に作成可能としたものである。なお、本実施形態のデジタルビデオカメラ１１は、記録媒体（第１記録媒体に相当）として後述するようにハードディスク装置を内蔵しており、撮像した動画の撮像データを内蔵のハードディスク装置に記録する。
【００３３】
デジタルビデオカメラ１１は、筐体１２の上部前面側に撮像レンズ部１３を設けており、反対側となる背面にはファインダー部１４を設けている。また、デジタルビデオカメラ１１は、筐体１２の一方の側面１２ａを記録装置２０の接続箇所にして記録装置２０が接続できる形態にすると共に、背面側の周囲部に凹型のカメラ側コネクタ１６（第１接続部に相当）を設けると共に、周囲の他の箇所に被係合部１２ｂ、１２ｃを凹設している。さらに、デジタルビデオカメラ１１は、側面１２ａとの反対側となる箇所に筐体１２に対して開閉可能であるモニタ部１５（表示部に相当）を設けている。また、モニタ部１５は、被写体の表示、記憶している画像の再生表示、及びメニュー表示等を行うタッチパネル式の液晶画面１５ａを有している。
【００３４】
記録装置２０は光ディスクｄ（第２記録媒体に相当）を収容できる大きさで且つデジタルビデオカメラ１１の外寸より一回り程小さい薄厚の箱状体であり、デジタルビデオカメラ１１への接続面２０ａには凸型のコネクタ２１（第２接続部に相当）を突設すると共に、デジタルビデオカメラ１１の被係合部１２ｂ、１２ｃに対向する箇所にフック状の係合片２０ｂを突設している。また、記録装置２０は、デジタルビデオカメラ１１との接続時に背面側となる側部２０ｃに記録ディスクである光ディスクｄを装置内部に受け入れるスロット部２０ｄ（媒体受入部に相当）を設けている。
【００３５】
図２は、デジタルビデオカメラ１１の内部構成を示すブロック図である。デジタルビデオカメラ１１の内部は、主に動画撮像に係る処理を行う撮像部３０（図中、夫々一点鎖線で囲んだ部分。動画撮像手段に相当）と、撮像部３０以外の内部処理部分とに区分けされる。なお、このブロック図では図示していないが、筐体１２の内部に収納される電池と接続されて撮像部３０及び内部処理部分に給電を行う給電ラインも存在している。
【００３６】
撮像部３０は、撮像レンズ３０ａで集光された像を電気信号に変換する撮像素子３０ｂ、電気信号をＡ／Ｄ変換して内部処理部分へ送出するフロントエンド部３０ｃ、及び内部処理部分からの指示に基づき撮像レンズ３０ａを長焦点側（テレ端）又は短焦点側（ワイド端）へ移動させるレンズ駆動部３０ｅを制御する撮像コントロール部３０ｄを有している。
【００３７】
また、内部処理部分は、カメラ信号処理部３２及びビデオコーデック部３３等の各部が複数の内部バスで接続された形態になっており、撮像した動画に係る撮像データを装置内部に取り付けられたハードディスク装置４１へ記録保存する処理及び記録された撮像データの映像をモニタ部１５で再生表示する処理等を行う。次に各部３２、３３等が行う処理内容等を具体的に説明する。
【００３８】
カメラ信号処理部３２は、フロントエンド部３０ｃから送出されてきた電気信号に対し所要の信号処理を施し撮像データとしてビデオコーデック部３３へ送る処理を行う。ビデオコーデック部３３は、カメラ信号処理部３２から撮像データを所要の圧縮方式（本実施形態ではＭＰＥＧ２フォーマット）で圧縮する処理を行うと共に、後述するハードディスク装置４１で記録された撮像データを再生する場合には、圧縮した撮像データを元の状態に伸張する処理を行う。
【００３９】
表示インタフェース部３４はモニタ部１５と接続されており、撮像時には撮像部３０を通じて取得された映像をモニタ部１５へ転送して表示させるようにしており、ハードディスク装置４１に記録された撮像データを再生する場合は、上述したビデオコーデック部３３で伸張された撮像データをモニタ部１５へ転送する。なお、モニタ部１５の液晶画面１５ａはタッチパネル式であるため、図３に示すような上下の矢印キー５０ａ、５０ｃ及び中央の決定ボタン５０ｂを配置したメニュー５０等をモニタ部１５で表示する場合、ユーザにより触れられたキー及びボタンに相当する箇所のデータを後述するＣＰＵ３９へ送信する処理も表示インタフェース部３４は行う。
【００４０】
また、接続インタフェース部３５は、内蔵のハードディスク装置４１と接続され、内部バスを通じて送られてきた撮像データを所要のインタフェース規格に従ってハードディスク装置４１に書き込む処理を行うと共に、ＣＰＵ３９の制御に基づきハードディスク装置４１の所要アドレスに記録されたデータを読み出す処理も行う。内部メモリ部３６はＲＯＭ及びＲＡＭで構成されており、ＲＯＭには図３に示すメニュー等の表示画面データ及びＣＰＵ３９の処理内容を規定したプログラム等が記憶されており、ＲＡＭには処理に係る各種データを一時的に記憶されるようにしている。
【００４１】
高速内部インタフェース部３７は、カメラ側コネクタ１６と接続されており、デジタルビデオカメラ１１からカメラ側コネクタ１６を通じてデータの送出を可能にすると共に、カメラ側コネクタ１６からのデータの受付を行えるようにしている。なお、高速内部インタフェース部３７及びカメラ側コネクタ１６は、一般的な接続インタフェース規格ではなく、独自規格に基づいた複数データのマルチ入出力に対応できるパラレル通信仕様を採用している。このような独自規格を採用することで、一般的な接続インタフェース規格に束縛されずに自由な設計が可能となり、デジタルビデオカメラ１１が有する内部バスと同等のデータ転送速度を確保し、両装置の接続部分がデータ送受のボトルネックになることを防止している。
【００４２】
なお、デジタルビデオカメラ１１が上述したような独自規格の接続インタフェースを用いても、記録装置２０はデジタルビデオカメラ１１の専用装置であるため支障はない。また、カメラ側コネクタ１６には多数の接続ピンが設けられており、この中の一つの接続ピンが記録装置２０との接続検出用のピンとして機能し、記録装置２０がデジタルビデオカメラ１１に接続されると、接続検出用のピンに係る電圧が変化するようにしている。
【００４３】
内部インタフェース部３８は、撮像部３０と内部処理部分との接続を行うものであり、ＣＰＵ３９の指示を撮像コントロール部３０ｄへ伝送する処理等を行う。また、操作部４０はユーザからの操作指示を受け付けるものであり、メニューボタン４０ａ、ポーズボタン４０ｂ、撮像ボタン４０ｃ、及びストップボタン４０ｄ等の各種ボタンが筐体１２に設けられている（図１では図示せず）。なお、各ボタン４０ａ、４０ｂ等が押し下げられると、操作されたことが内部バスを通じてＣＰＵ３９へ伝えられる。また、メニューボタン４０ａをモニタ部１５に図３のメニュー５０を表示する指示を受け付け、ポーズボタン４０ｂは動画撮像中に撮像休止の指示を受け付け、撮像ボタン４０ｃは撮像開始及び撮像休止中には撮像再開の指示を受け付け、ストップボタン４０ｄは撮像終了及び再生終了等の指示を受け付ける。
【００４４】
ＣＰＵ３９は、デジタルビデオカメラ１１の全体的な制御を行うものであり、各部３０、３２等が上述した処理を適宜行うように各部３０、３２に対する制御を行う。ＣＰＵ３９の処理内容は多岐に亘っているが、本実施形態では撮像時における特徴的な処理として、ポーズボタン４０ｂの操作に対する処理がある。
【００４５】
図４は、デジタルビデオカメラ１１で動画撮像を行った場合、撮像データに係るファイルがＣＰＵ３９の制御に基づき作成される状況を示している。具体的には、先ず、図２に示す操作部４０の撮像ボタン４０ｃが押し下げられると、ＣＰＵ３９は、撮像を開始するように各部３０、３２等の制御を行う。なお、本実施形態では３０ｆｐｓで動画を撮像し、撮像した動画に係る撮像データはカメラ信号処理部３２及びビデオコーデック部３３等で所要の処理が行われて内蔵のハードディスク装置４１にファイル１として順次記憶されていく。また、ＣＰＵ３９は内部に計時手段も備えており、記録するデータに関連付けて撮像日時もハードディスク装置４１に記憶させる。
【００４６】
このような動画の撮像中、ユーザの操作によりポーズボタン４０ｂが押し下げられると、ＣＰＵ３９は、撮像休止手段として撮像を休止する制御を各部３０、３２等に対して行う。また、撮像休止中にユーザの操作により撮像ボタン４０ｃが押し下げられると、ＣＰＵ３９は撮像再開手段として、撮像休止を解除してから撮像を再開する制御を各部３０、３２等に対して行う。撮像を再開した場合、ＣＰＵ３９は箇所記録手段として、撮像した動画を形成する最初の画像フレームに応じた撮像データがハードディスク装置４１に記録される箇所のアドレスを、ハードディスク装置４１の別の領域に記録する処理を行う。よって、ハードディスク装置４１に記録されたアドレスを参照することで、撮像再開の直後の画像フレームに応じた撮像データを特定できるようになる。
【００４７】
また、撮像再開後にポーズボタン４０ｂ及び撮像ボタン４０ｃが順次押し下げられると、上述した処理と同様に撮像が一旦休止された後、撮像が再開されることになる。なお、撮像中、又は撮像休止状態でユーザの操作によりストップボタン４０ｄが押し下げられると、撮像終了となり、撮像終了までの撮像データはファイル１としてハードディスク装置４１に記録されることになる。また、一旦、撮像が終了してから、撮像ボタン４０ｃが押し下げられると、撮像された動画に係るデータは新たなファイル名（例えばファイル２）としてハードディスク装置４１に記録され、以降、上記と同様にユーザの操作に応じて撮像された動画に係る撮像データがハードディスク装置４１に順次記録されていく。
【００４８】
さらに、本実施形態でＣＰＵ３９が行う特徴的な処理としては、記録装置２０のデジタルビデオカメラ１１への接続検出に係る内容が挙げられる。具体的には、ＣＰＵ３９はカメラ側コネクタ１６の接続検出用の接続ピンに対し電圧の変化を検出しており、電圧が変化した場合、ＣＰＵ３９は記録装置２０が接続されたと判断する。さらに、また、ＣＰＵ３９は記録装置２０が接続されたと判断した場合、図５に示すサムネイル５１をモニタ部１５に自動的に表示する制御を行う。
【００４９】
図５に示すサムネイル５１は、ハードディスク装置４１に記憶されている動画ファイルに係る撮像データの中で、動画を構成する画像フレームの画像を縮小して複数を配列表示したものであり、ＣＰＵ３９の制御により作成されている。本実施形態では、表示する画像として、従来から表示対象になっていた図４に示す各ファイル１、２等の最初の画像フレームｆ１、ｆ２等に係る画像に加えて、撮像休止から撮像を再開した場合における最初の画像フレームｆ２、ｆ３、ｆ５等に係る画像も表示している。
【００５０】
撮像再開後の画像フレームｆ２、ｆ３、ｆ５等の画像は、撮像再開時にハードディスク装置４１に記録した撮像データの書き込み箇所となるアドレスを参照することで、ＣＰＵ３９が各画像フレームｆ２、ｆ３、ｆ５等が特定されて表示される。なお、因みに、図５の小画像５２は図４に示すファイル１の画像フレームｆ１に相当する画像を縮小したものであり、小画像５３、５４がファイル１の撮像再開後の画像フレームｆ２、ｆ３に相当するものであり、小画像５５はファイル２の撮像開始直後の画像フレームｆ４に相当し、小画像５６はファイル２の撮像再開後の画像フレームｆ５に相当する。なお、小画像５７は図４で示していないが別のファイル３の撮像開始直後の画像フレームに相当するものである。また、各小画像５２〜５７の下方にはハードディスク装置４１に撮像データと関連して記録されている撮像日時も表示するようにしている。
【００５１】
さらに、本実施形態のサムネイル５１は、モニタ部１５の液晶画面１５ａのタッチパネル機能と連携して、液晶画面１５ａ中の各小画像５２〜５７の表示箇所がユーザにより触れられると、その画像に係る撮像データの選択が受け付けられることをＣＰＵ３９が選択受付手段として判断を行っている。なお、選択される撮像データの範囲は、例えば、図４の画像フレームｆ１に応じた図５の小画像５２が選択された場合、図４に示す撮像開始から１回目の撮像休止までの「シーン１」に相当する撮像データの部分が選択されたことになり、また、図４の画像フレームｆ２に応じた図５の小画像５３が選択された場合、図４に示す１回目の撮像再開から２回目の撮像休止までの「シーン２」に相当する撮像データの部分が選択されたことになる。
【００５２】
また、ＣＰＵ３９は画像が選択された場合、選択された小画像の周囲を点滅させるようにしており、図５のサムネイル５１では、小画像５２、５４、５６が選択された状態であることを示している（図中では破線で示す）。さらに、ＣＰＵ３９はサムネイル５１の画像の下方にユーザにより触れられて操作される操作ボタン５１ａ〜５１ｅを配置するようにしている。
【００５３】
クリアボタン５１ａは選択された画像を全て解除する指示を受け付けるものであり、記録ボタン５１ｂは、選択された画像のデータを選択された順序でハードディスク装置４１から読み出してカメラ側コネクタ１６から送出する指示を受け付けるものである。メニューボタン５１ｃは図３のメニュー５０に表示を切り替える指示を受け付けるものである。十字キーボタン５１ｄは、上下左右のキー部分で小画像５２〜５７を選択する指示を受け付けるものであり、中央の丸ボタン部分は選択内容を決定する指示を受け付けるものである。また、選択表示ボタン５１ｅは、選択された小画面５２〜５７を再生表示する図６の選択表示画面６０へ表示を切り替える指示を受け付けるものである。
【００５４】
選択表示画面６０は、サムネイル５１で選択された小画像をモニタ部１５の左側の領域に配列表示すると共に、各小画像のいずれかに係る動画をモニタ部１５の中央から右側の領域で再生表示したものであり、このような表示に係る制御はＣＰＵ３９が複合表示処理手段として行う。具体的には、左側の配列領域６１には図５のサムネイル５１で選択された小画像５２、５６、５４を選択された順序で縦に配列し、中央から右側の再生領域６２には、配列領域６１の上からの順序で各小画像５２、５６、５４に係る動画を自動的に再生表示するようにしている。なお、再生領域６２で表示再生されている動画に応じた小画像は周囲の枠が配列領域で点滅表示されるようにしている。
【００５５】
また、選択表示画面６０は、再生領域６２の上方に再生対象の動画に係る撮像日時等を表示する再生対象の上方欄６３を設けると共に、再生領域６２の下方に上下キーボタン６０ａ、メニューボタン６０ｂ、及び記録ボタン６０ｃを設けている。
【００５６】
上下キーボタン６０ａは、上下の矢印キーで配列領域６１に表示される各小画像のいずれかの選択指示を受け付けて、中央の丸型の決定キーで選択決定の指示を受け付けるようにしている。よって、上下キーボタン６０ａを操作することで選択決定された小画像に係る動画を切り替えて再生領域６２で再生表示し、ユーザが手動で動画の内容を確認できるようにしている。また、メニューボタン６０ｂは図３のメニュー５０に表示を切り替える指示を受け付けるものであり、記録ボタン６０ｃはサムネイル５１の記録ボタン５１ｂと同等の機能を役割を果たすものである。
【００５７】
なお、図３に示すメニュー５０は、上述したメニューボタン５１ｃ、６０ｂが操作された場合にモニタ部１５に表示されるものであり、上下の矢印キー５０ａ、５０ｃで「操作モード」「サムネイル表示」「撮像設定」等の項目を選択する指示をユーザから受け付けて、中央の丸型の決定ボタン５０ｂで選択された項目の決定指示を受け付ける。
【００５８】
上述したメニュー５０、サムネイル５１、及び選択表示画面６０で配置される各ボタンが操作されると、ＣＰＵ３９は各ボタンが受け付ける指示に応じた制御を行う。例えば、サムネイル５１の記録ボタン５１ｂが操作されると、カメラ側コネクタ１６から記録開始信号を外部へ向けて出力し、カメラ側コネクタ１６を通じて外部から記録準備完了信号を受け付けてから、選択された画像に係る撮像データをハードディスク装置４１から読み出してカメラ側コネクタ１６から外部へ送出する制御をＣＰＵ３９はデータ送出手段として行う。この際、ＣＰＵ３９は複数の撮像データの選択を受け付けた場合、受け付けた順序で撮像データを送出するようにしている。また、メニュー５０で「サムネイル表示」の項目が決定された場合も、図５のサムネイル５１がモニタ部１５に表示する制御をＣＰＵ３９は行う。
【００５９】
一方、図７は記録装置２０に係る内部構造を示すブロック図である。記録装置２０は、デジタルビデオカメラ１１のカメラ側コネクタ１６と接続されるコネクタ２１に高速内部インタフェース部２２が接続されている。また、高速内部インタフェース部２２は内部バスを通じてストリームコントロール部２３、コーデック部２６、メモリ部２７、操作部２８、及びＣＰＵ２９と夫々接続されている。さらに、ストリームコントロール部２３はディスクドライブインタフェース部２４を介して光ディスクｄを受け入れるディスクドライブ部２５と接続されている。なお、図７のブロック図では示していないが、記録装置２０にも、装置内に収納される電池と接続されて各部２２、２３等へ給電を行う給電ラインも存在している。
【００６０】
記録装置２０は、デジタルビデオカメラ１１に対する専用装置であるため、内部のバス構造は、デジタルビデオカメラ１１と同等の規格に基づき構成されており、コネクタ２１及び高速内部インタフェース部２２は、デジタルビデオカメラ１１のカメラ側コネクタ１６及び高速内部インタフェース部３７と同等の仕様にしている。その結果、記録装置２０の内部のバスは、デジタルビデオカメラ１１と接続されると、コネクタ２１及びカメラ側コネクタ１６が接続されて、同仕様の連続した大きな一つのバスとして機能し、記録装置２０及びデジタルビデオカメラ１１との間でデータ送受を高速で行えるようにしている。なお、コネクタ２１は、カメラ側コネクタ１６の接続検出用のピンに対応した被検出ピンを設けており、被検出ピンは上述した給電ラインと導通しており、接続時にカメラ側コネクタ１６の接続検出用のピンに係る電圧が変化するようにしている。
【００６１】
デジタルビデオカメラ１１から出力されてきたデータは、コネクタ２１で受け付けられて高速内部インタフェース部２２、及び内部バスを介してストリームコントロール部２３へ順次伝送される。ストリームコントロール部２３は、伝送されてきたデータを光ディスクｄへ書き込めるようにデータを整列させた状態にしてディスクドライブインタフェース部２４を介してデータをディスクドライブ部２５へ伝送する。
【００６２】
ディスクドライブ部２５は、受け入れた光ディスクｄを保持して回転させる駆動部及び回転させた光ディスクｄに対向した状態で径方向に沿って移動する光ピックアップ部等を備えており、ディスクドライブインタフェース部２４からのデータを光ピックアップ部を用いて光ディスクｄに書き込む処理を行う。その結果、デジタルビデオカメラ１１のハードディスク装置４１に記録された所望のデータを光ディスクｄに複写して記録できるようにしている。また、記録装置２０は、光ディスクｄに記録されたデータをディスクドライブ部２５の光ピックアップ部を通じて読み出し、書き込み時とは逆の伝送路を経てコネクタ２１から外部へ出力することも可能にしている。
【００６３】
なお、コーデック部２６は必要に応じてデータの圧縮及び伸張を行っており、メモリ部２７は各種処理に係るデータ等を一時的に記録するものであり、操作部２８は、ディスクドライブ２５に係る再生及び記録用のボタンが設けられユーザからの指示を受け付けるものである。また、ＣＰＵ２９は、上述した一連のデータの書き込み及び読み出し等の処理に係る制御をデータ記録処理手段として各部２２、２３等に対して行うものである。例えば、データの光ディスクｄへの書き込みに係る処理では、先ず、デジタルビデオカメラ１１からの記録開始信号をコネクタ２１で受け付けると、ＣＰＵ２９はディスクドライブ部２５をデータの書き込める準備状態にしてから、記録準備完了信号をデジタルビデオカメラ１１へ送出する制御を行う。また、記録準備完了信号の送出後にデジタルビデオカメラ１１から順次出力されてきたデータを光ディスクｄへ書き込むようにディスクドライブ部２５等に対する制御をＣＰＵ２９は行う。なお、デジタルビデオカメラ１１から複数の撮像データが送出されてきた場合、ＣＰＵ２９は受け付けた順序で各撮像データを光ディスクｄへ書き込むように制御を行う。
【００６４】
次に、上述した構成の撮像記録システム１０におけるデジタルビデオカメラ１１の動画撮像時に係る処理手順を図８の第１フローチャートに基づき説明する。
先ず、デジタルビデオカメラ１１は、撮像ボタン４０ｃがユーザによりオンされるか否かを判断する（Ｓ１）。撮像ボタン４０ｃがオンされない場合（Ｓ１：ＮＯ）、撮像ボタン４０ｃがオンされることを待つ状態になる。また、撮像ボタン４０ｃがオンされた場合（Ｓ１：ＹＥＳ）、動画の撮像を開始する（Ｓ２）。
【００６５】
撮像中、デジタルビデオカメラ１１は、ポーズボタン４０ｂがオンされるか否かを判断する（Ｓ３）。ポーズボタン４０ｂがオンされた場合（Ｓ３：ＹＥＳ）、撮像を休止する（Ｓ４）。さらに、撮像休止中に、撮像ボタン４０ｃが再度オンされるか否かを判断する（Ｓ５）。撮像ボタン４０ｃがオンされた場合（Ｓ５：ＹＥＳ）、デジタルビデオカメラ１１は撮像を再開するが、この際、再開後に撮像した動画の画像フレームの書き込み箇所（アドレス）をハードディスク装置４１に記録している（Ｓ６）。撮像を再開した後、デジタルビデオカメラ１１は、ストップボタン４０ｄがオンされるか否かを判断し（Ｓ７）、ストップボタン４０ｄがオンされた場合（Ｓ７：ＹＥＳ）、撮像を終了し（Ｓ８）、撮像開始から撮像終了に至る撮像データを一つのファイルとしてハードディスク装置４１に記録する。
【００６６】
なお、上述した一連の処理中で、ポーズボタン４０ｂがオンされない場合（Ｓ３：ＮＯ）、デジタルビデオカメラ１１は次にストップボタン４０ｄがオンされるか否かを判断し（Ｓ７）、また、ストップボタン４０ｄがオンされない場合は（Ｓ７：ＮＯ）、撮像の段階（Ｓ２）へ戻るようにしている。さらに、撮像休止中に撮像ボタン４０ｃがオンされない場合は（Ｓ５：ＮＯ）、デジタルビデオカメラ１１は、次にストップボタン４０ｄがオンされるか否かを判断する（Ｓ９）。ストップボタン４０ｄがオンされた場合（Ｓ９：ＹＥＳ）、撮像を終了し（Ｓ８）、ストップボタン４０ｄがオンされない場合（Ｓ９：ＮＯ）、撮像休止の段階（Ｓ４）へ戻るようにしている。このようにして、デジタルビデオカメラ１１はハードディスク装置４１に撮像データを記録している。
【００６７】
図９の第２フローチャートは、撮像記録システム１０で所要のデータを記録した光ディスクｄを作成する際の一連の処理を示し、デジタルビデオカメラ１１のハードディスク装置４１に記録されたデータを記録装置２０が受け入れた光ディスクｄへ複写記録する場合の処理手順を示している。
先ず、デジタルビデオカメラ１１は、記録装置２０が接続されたか否かを検出する（Ｓ１１）。記録装置２０の接続を検出しない場合は（Ｓ１１：ＮＯ）、記録装置２０の接続待ちとなり、記録装置２０の接続を検出した場合（Ｓ１１：ＹＥＳ）、デジタルビデオカメラ１１は、ハードディスク装置４１に記録されている撮像データの画像に係るサムネイル５１を作成し（図５参照）、このサムネイル５１をモニタ部１５に表示する（Ｓ１２）。次に、デジタルビデオカメラ１１は、サムネイル５１で表示された小画像５２〜５７の中からユーザが望む画像の選択を受け付ける（Ｓ１３）。
【００６８】
画像選択を受け付けてから、デジタルビデオカメラ１１は、クリアボタン５１ａがオンされるか否かを判断し（Ｓ１４）、クリアボタン５１ａがオンされた場合（Ｓ１４：ＹＥＳ）、選択された内容を解除してサムネイル５１を表示する段階へ戻る（Ｓ１２）。一方、クリアボタン５１ａがオンされない場合（Ｓ１４：ＮＯ）、次にデジタルビデオカメラ１１は、記録ボタン５１ｂがオンされるか否かを判断し（Ｓ１５）、記録ボタン５１ｂがオンされない場合（Ｓ１５：ＮＯ）、選択表示ボタン５１ｅがオンされるか否かを判断する（Ｓ１６）。選択表示ボタン５１ｅがオンされた場合（Ｓ１６：ＹＥＳ）、デジタルビデオカメラ１１は、図６に係る選択表示画面６０をモニタ部１５に表示し、選択された小画像に係る動画を再生領域６２で再生表示する（Ｓ１７）。なお、選択表示画面６０で選択に係る動画が再生されることで、ユーザは光ディスクｄに記録する内容を詳細に確認できる。
【００６９】
デジタルビデオカメラ１１は、選択表示画面６０を表示した状態で記録ボタン６０ｃ（図６参照）がオンされるか否かを判断する（Ｓ１８）。記録ボタン６０ｃがオンされた場合（Ｓ１８：ＹＥＳ）、デジタルビデオカメラ１１は選択された画像に係る撮像データをハードディスク装置４１から読み出して記録装置２０へ送出し、記録装置２０は受け付けた撮像データを光ディスクｄに受け付けた順序で書き込み処理を行う（Ｓ１９）。
【００７０】
なお、サムネイル５１をモニタ部１５に表示した状態で記録ボタン５１ｂがオンされた場合も（Ｓ１５：ＹＥＳ）、選択された画像に応じた撮像データが光ディスクｄに書き込まれ（Ｓ１９）、サムネイル５１を表示した状態で選択表示ボタン５１ｅがオンされない場合（Ｓ１６：ＮＯ）、クリアボタン５１ａがオンされるか否かの判断の段階（Ｓ１４）へ戻るようにしている。さらに、選択表示画面６０をモニタ部１５に表示した状態で記録ボタン６０ｃがオンされない場合（Ｓ１８：ＮＯ）、デジタルビデオカメラ１１はメニューボタン６０ｂがオンされるか否かを判断する（Ｓ２０）。メニューボタン６０ｂがオンされない場合（Ｓ２０：ＮＯ）、記録ボタン６０ｃがオンされるか否かを判断する段階（Ｓ１８）へ戻り、メニューボタン６０ｂがオンされた場合（Ｓ２０：ＹＥＳ）、図３に示すメニュー５０をモニタ部１５に表示するようにしている（Ｓ２１）。
【００７１】
以上のように、撮像記録システム１０のデジタルビデオカメラ１１及び記録装置２０が上述した処理を行うことで、所要の撮像データを記録した光ディスクｄを、パーソナルコンピュータ及び接続コードを用いなくても作成できるようになる。また、記録装置２０はデジタルビデオカメラ１１より小さい寸法であるため、デジタルビデオカメラ１１と共に携帯してもユーザの負担は大きくならない上に、撮像場所等の出先でも手軽に且つ短時間で光ディスクｄを作成できる。
【００７２】
なお、本発明に係る撮像記録システム１０は、上述した形態に限定されるものでなく、種々の変形例の適用が可能である。例えば、記録装置２０は操作部２８にデータの記録ボタンを設けて、この記録ボタンをユーザが操作することにより、デジタルビデオカメラ１１から撮像データを取り出して光ディスクｄに書き込むような構成にしてもよい。この場合、記録装置２０のＣＰＵ２９は操作部２８の記録ボタンが操作されると、データ要求信号をデジタルビデオカメラ１１へ出力し、デジタルビデオカメラ１１のＣＰＵ３９は、記録装置２０からデータ要求信号を受け付けると、選択した画像に係る撮像データを記録装置２０へ送出する処理を行う必要がある。
【００７３】
また、記録装置２０は、記録媒体としてＤＶＤ−ＲＷ用の光ディスクｄを用いる以外に、ＣＤ−Ｒ、ＣＤ−ＲＷ、ＤＶＤ−Ｒ、又はＤＶＤ−ＲＡＭ等用の光ディスク、若しくはブルーレイディスク（Blu-ray Disc）に対応した構成にすることも可能であり、さらには、他の形態の記録媒体に対応した構成にしてもよい。要するに、記録装置２０のデータの書き込み及び読み込みに係る構成としては、そのときに最も汎用性が高い記録媒体を適用できるようにしてあることが重要である。
【００７４】
さらに、デジタルビデオカメラ１１が撮像したデータを記録する記録媒体は、筐体１２の内部に固定されるハードディスク装置４１に限定されるものではなく、着脱型のハードディスク装置及び半導体メモリを適用することも可能であり、また、各種光ディスクの適用も可能であり、さらには記録装置２０へのデータ出力速度は低下するがデジタルビデオテープを適用してもよい。また、本発明に係る構成は、静止画の撮像に係る撮像記録システム、撮像装置、及び記録装置に対しても適用可能である。
【図面の簡単な説明】
【００７５】
【図１】本発明の実施形態に係る撮像記録システムの全体的な構成を示す概略斜視図である。
【図２】実施形態のデジタルビデオカメラの内部構成を示すブロック図である。
【図３】メニューを示す概略図である。
【図４】撮像データの記録状態を説明する概略図である。
【図５】サムネイルを示す概略図である。
【図６】選択表示画面を示す概略図である。
【図７】記録装置の内部構成を示すブロック図である。
【図８】撮像に係る処理を示す第１フローチャートである。
【図９】光ディスクの作成に係る処理を示す第２フローチャートである。
【図１０】従来の光ディスクの作成に必要な構成を示す概略斜視図である。
【符号の説明】
【００７６】
１０  撮像記録システム
１１  デジタルビデオカメラ
１５  モニタ部
１６  カメラ側コネクタ
２０  記録装置
２１  コネクタ
２５  ディスクドライブ部
４０ｂ  ポーズボタン
４０ｃ  撮像ボタン
４０ｄ  ストップボタン
４１  ハードディスク装置
５１  サムネイル
６０  選択表示画面
ｄ  光ディスク
【図１】
2005277958.tif 000003
【図２】
2005277958.tif 000004
【図３】
2005277958.tif 000005
【図４】
2005277958.tif 000006
【図５】
2005277958.tif 000007
【図６】
2005277958.tif 000008
【図７】
2005277958.tif 000009
【図８】
2005277958.tif 000010
【図９】
2005277958.tif 000011
【図１０】
2005277958.tif 000012